(57)【要約】【課題】偽造を一層困難ならしめた情報記録媒体を提供し、併せて、この情報記録媒体から、秘匿情報を確実に解読することのできる検知装置を提供すること。【解決手段】基板１１と、この基板１１上に積層された情報保持層１２とから成り、情報保持層１２が光反射層１２４を具備し、情報保持層１２表面が多数の領域に区分されて、そこに回折格子要素１２ａ，１２ｂ，‥が配置され、この回折格子要素１２ａ，１２ｂ，‥は光反射層表面の凹凸の形態で設けられた回折格子で構成されており、この回折格子要素のうち少なくとも一部の回折格子要素の反射回折光の方向を秘匿情報の全部又は一部とする情報記録媒体であって、前記基板１１表面の中心線表面粗さＲａが１．０以上である。回折格子を構成する凹凸と基板１１の凹凸が重畳され、偽造を困難とする。また、所定の面光源を利用して秘匿情報を確実に解読できる。【選択図】図１
2006327129.tif 000002
【特許請求の範囲】
【請求項１】
基板と、この基板上に積層された情報保持層とから成り、情報保持層が光反射層を具備しており、
前記情報保持層表面が多数の領域に区分され、この多数の領域のそれぞれに回折格子要素が配置されており、
この回折格子要素は、前記光反射層表面の凹凸の形態で設けられた回折格子で構成されており、この回折格子要素のうち少なくとも一部の回折格子要素の反射回折光の方向を秘匿情報の全部又は一部とする情報記録媒体において、
前記基板表面のＪＩＳ  Ｂ０６０１−１９９４に基づく中心線表面粗さＲａが１．０以上であることを特徴とする情報記録媒体。
【請求項２】
反射回折光の方向を秘匿情報の一部とする回折格子要素が複数存在し、
これら複数の回折格子要素の反射回折光の全体で秘匿情報の全部を構成していることを特徴とする請求項１又は２記載の情報記録媒体。
【請求項３】
前記複数の回折格子要素のうち特定の回折格子要素は、その回折格子要素に対し特定の光源から光照射して前記秘匿情報の一部を再現するものであり、
他の回折格子要素は、この回折格子要素に対し前記特定の光源とは異なる方向に配置された光源から光照射して前記秘匿情報の一部を再現するものであることを特徴とする請求項２記載の情報記録媒体。
【請求項４】
前記回折格子要素の全体が可視画像を表現していることを特徴とする請求項１〜３のいずれかに記載の情報記録媒体。
【請求項５】
基板と、この基板上に積層された情報保持層とから成り、情報保持層が光反射層を具備しており、
前記情報保持層表面が多数の領域に区分され、この多数の領域のそれぞれに回折格子要素が配置されており、
この回折格子要素は、前記光反射層表面に凹凸の形態で設けられた回折格子で構成されており、この回折格子要素のうち少なくとも一部の回折格子要素が、その反射回折光の方向を秘匿情報の全部又は一部とする情報記録媒体から前記秘匿情報を検知する装置であって、
前記情報記録媒体に光照射する光源と、
前記光源からの照射光に応答して発生した反射回折光を検知する読み取り手段とから成る秘匿情報検知装置において、
前記光源が面光源から成り、
前記面光源の端部と前記秘匿情報を有する回折格子要素の中心とを結ぶ線をＬ、その反対側の面光源の端部と前記秘匿情報を有する回折格子要素の中心とを結ぶ線をＭとするとき、ＬとＭのなす角度が５度以上であることを特徴とする秘匿情報検知装置。
【発明の詳細な説明】
【技術分野】
【０００１】
本発明は、肉眼で認知することのできない秘匿情報を保持する情報記録媒体とこの情報の有無及び内容を検知する検知装置に関する。本発明に係る秘匿情報は、基板の表面に設けられた反射型回折格子によって保持されており、その反射回折光の方向によって前記秘匿情報を再現するものである。
【背景技術】
【０００２】
基板表面に反射型回折格子を設けてこの回折格子に秘匿情報を保持させ、特定の光源からの照射光に応答して発生した反射回折光の方向で前記秘匿情報を再現する情報記録媒体は公知である。
【０００３】
このような情報記録媒体は、一般に、転写技術を利用して製造されており、その秘匿情報は情報記録媒体、すなわち、製品の真正を認証する認証情報として利用されている。
【０００４】
転写箔９は、例えば、図６Ａの断面図に示すようなものである。図６Ａにおいて、９１は転写箔の基材を示しており、この転写箔基材９１上に、剥離層９２を介して、順次、保護層９３、光反射層９４、接着層９５が積層されている。保護層９３は透明な樹脂から構成されており、光反射層９４は保護層９３上に真空成膜されて設けられている。この光反射層９４は、アルミニウムや銅などの金属、あるいは前記保護層９３と屈折率の異なる透明材料から構成されており、前記保護層９３と光反射層９４との境界で光反射するように構成されている。
【０００５】
基材９１側から見た斜視図を図６Ｂに示す。この図６Ｂに示すように、転写箔９の表面は多数の領域に区分されている。これら多数の領域のそれぞれにおいて、前記保護層９３と光反射層９４との境界面に凹凸の形態で回折格子が配置されている（以下、これら各領域のそれぞれに設けられた回折格子を「回折格子要素」と呼ぶ）。この回折格子要素９ａ，９ｂ，‥に対して光を照射すると、その照射光の波長や照射方向、回折格子要素９ａ，９ｂ，‥に設けられた回折格子の方向、ピッチ（又は空間周波数）に対応する回折方向に反射回折光を発生する。
【０００６】
これら回折格子要素９ａ，９ｂ，‥の一部または全部は、肉眼で認知することのできない秘匿情報を保持しており、この情報は、回折格子要素に対し、予め定められた点光源から読み取り光線を照射し、この読み取り光線に応答して発生する反射回折光の回折方向によって再現される。そして、この反射回折光の回折方向の組み合せによって、その秘匿情報の全体を構成するのである。例えば、前記回折格子要素９ａ，９ｂ，‥のそれぞれを、回折方向の異なる２種類の回折格子のいずれかで構成すると共に、それぞれの回折格子に１または０の二値データを対応させ、これら二値データの組み合せで秘匿情報の全体を構成することができる。秘匿情報としては、後述する製品（基板）の真正を保障する認証情報などが例示できる。
【０００７】
そして、前記転写箔を製品（基板）８に転写することで、情報記録媒体が得られる（図６Ｃ参照）。製品（基板）８としては種々のものが使用されているが、例えば、プラスチック・カードなどのプラスチック製品である。そして、この製品（基板）上で、予め定められた点光源から読み取り光を照射し、反射回折光を光センサーで受光してＣＰＵで解析することにより、その秘匿情報を解読することが可能である。
【発明の開示】
【発明が解決しようとする課題】
【０００８】
しかしながら、反射回折光の回折方向は、読み取り光線の波長と照射方向、回折格子の方向とピッチ（空間周波数）によって定まるため、読み取り光線を照射する点光源の位置と光センサーの位置が分かると、これら位置をもとに情報記録媒体を偽造することが可能である。
【０００９】
本発明はこのような事情に基づいてなされたもので、その偽造を一層困難ならしめた情報記録媒体を提供することを目的とする。また、本発明は、このような情報記録媒体から、秘匿情報を確実に読み取り、解読することのできる検知装置を提供することを目的とする。
【課題を解決するための手段】
【００１０】
すなわち、請求項１に記載の発明は、基板と、この基板上に積層された情報保持層とから成り、情報保持層が光反射層を具備しており、
前記情報保持層表面が多数の領域に区分され、この多数の領域のそれぞれに回折格子要素が配置されており、
この回折格子要素は、前記光反射層表面の凹凸の形態で設けられた回折格子で構成されており、この回折格子要素のうち少なくとも一部の回折格子要素の反射回折光の方向を秘匿情報の全部又は一部とする情報記録媒体において、
前記基板表面のＪＩＳ  Ｂ０６０１−１９９４に基づく中心線表面粗さＲａが１．０以上であることを特徴とするものである。
【００１１】
請求項１に記載の発明によれば、基板表面の中心線表面粗さＲａが１．０以上と大きいため、この表面に積層された情報保持層も基板表面の凹凸に沿って変形し、凹凸の形態で設けられた回折格子も変形する。このため、単一の点光源から読み取り光線を照射しても、その読み取り光線に応答して発生する反射回折光の回折方向は、予め定められた回折方向とは異なることとなり、光センサーによって検知することができない。そして、このため、その偽造が一層困難となる。なお、かかる秘匿情報は、後述する検知装置によって確実に読み取り、かつ、解読することが可能である。
【００１２】
次に、請求項２に記載の発明は、秘匿情報を複数の回折格子要素のそれぞれに分散させて保持させ、これら複数の回折格子要素からの反射回折光の回折方向のすべてを、正確に検知しない限り、秘匿情報の解読を不可能としたものである。
【００１３】
すなわち、請求項２に記載の発明は、請求項１に記載の発明を前提とし、
反射回折光の方向を秘匿情報の一部とする回折格子要素が複数存在し、
これら複数の回折格子要素の反射回折光の全体で秘匿情報の全部を構成していることを特徴とするものである。
【００１４】
請求項２に記載の発明によれば、複数の回折格子要素の反射回折光の全体で秘匿情報の全部を構成しているため、これら回折格子要素の反射回折光の全体を検知しないかぎり、秘匿情報の全部を解読することができない。しかるに、基板表面が凹凸を有し、この凹凸が回折格子に反映して回折格子が変形しているため、単一の点光源からの読み取り光で、これら複数の回折格子要素の反射回折光を検知することは困難である。そして、このため、秘匿情報の全部を検知することが困難となる。なお、秘匿情報の一部とは、例えば、二値データの一部である「１」または「０」などの信号であり、秘匿情報の全部とは、例えば、前記「１」または「０」の信号を組み合わせて構成され、意味を持つ情報である。
【００１５】
次に、請求項３に記載の発明は、前記複数の回折格子要素の秘匿情報を再現させる読み取り光が、回折格子要素に応じて異ならせて、一層偽造を困難としたものである。
【００１６】
すなわち、請求項３に記載の発明は、請求項２に記載の発明を前提とし、
前記複数の回折格子要素のうち特定の回折格子要素は、その回折格子要素に対し特定の光源から光照射して前記秘匿情報の一部を再現するものであり、
他の回折格子要素は、この回折格子要素に対し前記特定の光源とは異なる方向に配置された光源から光照射して前記秘匿情報の一部を再現するものであることを特徴とするものである。
【００１７】
請求項３に記載の発明によれば、回折格子要素に応じて、秘匿情報の再現に要する光源が異なるため、その偽造が一層困難となる。
【００１８】
次に、請求項４に記載の発明は、秘匿情報を保持することのない回折格子要素の中に、秘匿情報を保持する回折格子要素を混在せしめて、これら秘匿情報を保持する回折格子要素の存否及びその位置を隠し、こうして、その偽造を一層困難としたものである。
【００１９】
すなわち、請求項４に記載の発明は、請求項１〜３に記載の発明を前提とし、
前記回折格子要素の全体が可視画像を表現していることを特徴とするものである。
【００２０】
次に、請求項５に記載の発明は、請求項１に記載の情報記録媒体を使用して、その秘匿情報を確実に読み取ることのできる検知装置に関するものである。
【００２１】
すなわち、請求項５に記載の発明は、
基板と、この基板上に積層された情報保持層とから成り、情報保持層が光反射層を具備しており、
前記情報保持層表面が多数の領域に区分され、この多数の領域のそれぞれに回折格子要素が配置されており、
この回折格子要素は、前記光反射層表面に凹凸の形態で設けられた回折格子で構成されており、この回折格子要素のうち少なくとも一部の回折格子要素が、その反射回折光の方向を秘匿情報の全部又は一部とする情報記録媒体から前記秘匿情報を検知する装置であって、
前記情報記録媒体に光照射する光源と、
前記光源からの照射光に応答して発生した反射回折光を検知する読み取り手段とから成る秘匿情報検知装置において、
前記光源が面光源から成り、
前記面光源の端部と前記秘匿情報を有する回折格子要素の中心とを結ぶ線をＬ、その反対側の面光源の端部と前記秘匿情報を有する回折格子要素の中心とを結ぶ線をＭとするとき、ＬとＭのなす角度が５度以上であることを特徴とするものである。
【００２２】
請求項５に記載の発明によれば、回折格子要素に光照射する光源を面光源とし、しかも、その面積を、面光源の端部と前記秘匿情報を有する回折格子要素の中心とを結ぶ線をＬ、その反対側の面光源の端部と前記秘匿情報を有する回折格子要素の中心とを結ぶ線をＭとするとき、ＬとＭのなす角度が５度以上であるように、大面積としたため、前記回折格子要素に種々の方向から読み取り光が照射され、回折格子要素から発生する反射回折光も種々の回折方向に出射する。そして、このため、基板表面が凹凸を有し、回折格子要素の回折格子が基板凹凸を反映して変形していても、その反射回折光が確実に読み取り手段に到達して、その読み取り及び解読を可能とするのである。
【００２３】
なお、前記基板が平坦な場合はもちろん、基板表面の中心線平均粗さＲａが１．０の場合でも、ＬとＭのなす角度が５度以上であれば、正確に読み取ることが可能である。これに対し、５度未満の場合には、基板表面の中心線平均粗さＲａが１．０の場合、秘匿情報
を正確に読み取れないことがある。
【発明の効果】
【００２４】
請求項１に記載の発明によれば、単一の点光源から読み取り光線を照射しても、光センサーによって検知することができず、その偽造が一層困難となる。
【００２５】
請求項２に記載の発明によれば、回折格子要素の反射回折光の全体を検知しないかぎり、秘匿情報の全部を解読することができない。しかるに、単一の点光源からの読み取り光で、これら複数の回折格子要素の反射回折光を検知することは困難であり、その偽造が一層困難となる。
【００２６】
請求項３に記載の発明によれば、回折格子要素に応じて、秘匿情報の再現に要する光源が異なるため、その偽造が一層困難となる。
【００２７】
請求項４に記載の発明によれば、秘匿情報を保持することのない回折格子要素の中に、秘匿情報を保持する回折格子要素を混在せしめて、その存否及びその位置を隠したため、その偽造が一層困難となる。
【００２８】
請求項５に記載の発明によれば、回折格子要素に光照射する光源を面光源とし、しかも、その面積を大面積としたため、回折格子要素の回折格子が基板凹凸を反映して変形していても、その反射回折光が確実に読み取り手段に到達して、その読み取り及び解読を可能とする。
【発明を実施するための最良の形態】
【００２９】
本発明に係る情報記録媒体１は、図１の断面図に示すように、基板１１と、この基板１１上に積層され、かつ、秘匿情報を保持する情報保持層１２とで構成されるものである。基板１１は任意のもので良いが、秘匿情報の読み取りを困難にせしめてその偽造を防止するため、表面の凹凸の大きいものである必要がある。具体的には、ＪＩＳ  Ｂ０６０１−１９９４に基づく中心線表面粗さＲａが１．０以上のものである。なお、中心線表面粗さが大きくなればなるほど、その読み取りと偽造とが困難となるが、秘匿情報の再生も困難となるため、前記表面粗さＲａが１０以下であることが望ましい。
【００３０】
このような基板１１としては、例えば、紙を材質とするものが例示できる。紙にはさまざまな表面粗さを有するものがあるから、これら種々の紙材料から、適切な表面粗さを有するものを選択して利用すれば良い。選択は、前記ＪＩＳ  Ｂ０６０１−１９９４に基づいて容易に行うことができる。
【００３１】
また、この紙を材質とする基板１１としては、種々の製品が使用できる。例えば、この紙製品そのものに偽造防止機能を要するもので、紙幣、小切手や商品券等の有価証券、預金通帳、パスポート等の各種証明書類等である。また、この基板１１を包装材料とし、この包装材料によって包装される内容物に偽造防止機能を要する場合も好適に利用できる。
【００３２】
次に、情報保持層１２は、保持する秘匿情報によって基板１の真正を証明するものである。基板１１が紙幣や有価証券、あるいは各種証明書類等である場合には、秘匿情報の存在によって基板１１そのものの真正が証明でき、そうでない場合には偽造と判別できる。また、基板１１が包装材料である場合には、この基板（包装材料）１１で包装された内容物の真偽を判別することができる。
【００３３】
この秘匿情報は、肉眼で読み取ることができず、特定の検知装置を利用して読み取ることができるもので、次のような形態で情報保持層１２に保持されている。
【００３４】
すなわち、情報保持層１２は、少なくとも光反射層１２４を具備している。この光反射層１２４は、後述するように、凹凸の形態を有しており、この凹凸で反射型回折格子を構成し、その反射回折光の方向を前記秘匿情報の全部または一部としている。また、この光反射層１２４の凹凸には前記基板１１表面のランダムな凹凸が反映され、こうして回折格子を構成する凹凸と基板１１表面の凹凸とを重畳して、その秘匿情報の再生を困難としている。図１に示す情報記録媒体においては、この光反射層１２４を基板１１に接着する接着層１２５を具備しているが、このように基板１１と光反射層１２４との間に他の層が介在する場合であっても、この介在層は、基板１１表面の凹凸が光反射層１２４の凹凸に反映できるものでなくてはならない。なお、図１において、１２３は光反射層１２４を傷や汚れから保護する保護層である。
【００３５】
また、図２の斜視図に示すように、情報保持層１２表面は多数の領域に区分されており、この領域のそれぞれに回折格子要素１２ａ，１２ｂ，‥が配置されている。そして、この回折格子要素１２ａ，１２ｂ，‥は前記回折格子から構成されており、これら多数の回折格子要素１２ａ，１２ｂ，‥のうち少なくとも一部の回折格子要素１２ａが、前記秘匿情報の全部または一部を保持している。他の回折格子要素１２ｘ，１２ｙ，‥はダミーであって、秘匿情報を保持することのないものである。そして、このダミーの回折格子要素１２ｘ，１２ｙ，‥を混在させることによって、秘匿情報を保持する回折格子要素１２ａの存否及びその位置を隠している。なお、このダミーの回折格子要素１２ｘ，１２ｙ，‥を含めてこれら多数の回折格子要素１２ａ，１２ｂ，‥のそれぞれを画素とし、その全体で可視画像を構成した場合には、角度によって色彩や画像が変化する美麗な可視画像を表示して、この美麗な可視画像中に秘匿情報を紛れ込ませることが可能となり、その存否及び位置の発見を一層困難とすることができる。また、この回折格子要素１２ａ，１２ｂ，‥の大きさは任意であってよいが、縦横１ｍｍ以上の大きさを有することが望ましい。１ｍｍに達しない場合、肉眼では、その秘匿情報を明確に読み取れないことがある。
【００３６】
そして、秘匿情報を保持する回折格子要素１２ａに対し、特定の光源２から照射光を照射し、これに応答して発生した反射回折光の方向を検知して秘匿情報の有無及び内容を読みとることができる。光源２としては、図３に示すように、照明光角度範囲θが５度以上の面光源を使用する必要がある。なお、ここでいう照明光角度範囲θは、面光源の端部と前記秘匿情報を有する回折格子要素１２ａの中心とを結ぶ線をＬ、その反対側の面光源の端部と前記秘匿情報を有する回折格子要素１２ａの中心とを結ぶ線をＭとして、そのＬとＭのなす角度をいう。図３においては、回折格子要素１２ａの中心に立てた法線をｚ軸とし、回折格子要素１２ａを含む面内の任意の方向に互いに直交するｘ軸及びｙ軸をとり、このｚ軸とｘ軸とを含むｚｘ平面に面光源を投影したとき、その投影図形の両端と回折格子要素１２ａの中心とを結ぶ線を、それぞれ、Ｌ，Ｍとしている。このＬとＭとは回折格子要素１２ａの中心で交叉するが、この交差する角度を照明光角度範囲θとしている。なお、これと直交するｚｙ平面（ｚ軸とｙ軸を含む平面）に面光源２を投影した場合も同様である。
【００３７】
前述のように、回折格子を構成する光反射層１２４の凹凸には基板１のランダムな凹凸が重畳されており、その基板１１の凹凸の影響によって回折方向が変動する。このため、光源として点光源や照明光角度範囲５度未満の面光源を使用した場合には、前記回折光を確実に検知することが困難である。他方、照明光角度範囲５度以上の面光源を光源として使用した場合には、前記回折格子要素１２ａに種々の方向から読み取り光が照射され、回折格子要素１２ａから発生する反射回折光も種々の回折方向に出射する。そして、このため、回折格子要素１２ａの回折格子が基板の凹凸を反映して変形していても、その反射回折光が確実に読み取り手段に到達して、その読み取り及び解読を可能とする。そして、このため、点光源等による情報記録媒体１の偽造が困難となり、他方、照明光角度範囲５度
以上の面光源を光源として、確実にその回折光を検知して秘匿情報を再生することが可能となる。
【００３８】
反射回折光の検知は、例えば、予め予定された位置に光センサーを配置することによって可能である。また、予め予定された位置に投影スクリーンを配置して前記回折光をこのスクリーン上に出射させ、こうして得られた光点の有無をカメラなどで撮影することも可能である。また、反射回折光をスクリーン上に画像状に集光させ、得られた画像を撮影して秘匿情報を読み取ることも可能である。
【００３９】
また、秘匿情報の一部を保持する回折格子要素１２ａ，１２ｂ，‥を複数設けて、これら複数の回折格子要素１２ａ，１２ｂ，‥の反射回折光の全体で秘匿情報の全部を構成することも可能である。この場合には、これら複数の回折格子要素１２ａ，１２ｂ，‥の反射回折光を投影スクリーン上に出射させ、こうして得られた光点の有無をカメラなどで撮影することで秘匿情報を検知することが可能となる。図４は、秘匿情報の一部を保持する回折格子要素として、１２ａ，１２ｂ，１２ｃ、及び１２ｄの４個の回折格子要素を利用し、同一の面光源２からの照射光に応答して出射した４本の反射回折光を投影スクリーン３に照射せしめ、この光点をカメラ4などで撮影する方法を示す説明図である。図中、５はＣＰＵなどの判断手段を示している。
【００４０】
なお、秘匿情報の一部としては、例えば二値データの一部である「１」または「０」などの信号であり、秘匿情報の全部とは、例えば、前記「１」または「０」の信号を組み合わせて構成され、意味を持つ情報である。
【００４１】
また、前記反射回折光をスクリーン３上に画像状に集光させる場合には、一部の回折格子要素１２ａの反射回折光で画像の一部を再現し、他の回折格子要素１２ｂの反射回折光で画像の他の部分を再現し、これらの全体で秘匿情報を読み取ることも可能である。画像としては、例えば、ヘンとツクリから構成される漢字が例示でき、その一部としてはヘンまたはツクリが例示できる。
【００４２】
また、これら複数の回折格子要素１２ａ，１２ｂ，‥のそれぞれに対し異なる方向に配置された面光源から読み取り光を照射することによって秘匿情報を再現することもできる。すなわち、これら複数の回折格子要素のうち、一部の回折格子要素１２ａ，１２ｂに対し特定の光源２１から光照射して前記秘匿情報の一部を再現し、他の回折格子要素１２ｃ，１２ｄに対し前記特定の光源２１とは異なる方向に配置された光源２２から光照射して前記秘匿情報の一部を再現する。図５は、この様子を示す説明図で、回折格子要素１２ａ及び１２ｂに対し光源２１から読み取り光を照射し、他方、回折格子要素１２ｃ及び１２ｄに対し光源２２から読み取り光を照射して反射回折光を発生させている。なお、これら回折格子要素１２ａ，１２ｂ，１２ｃ，１２ｄからの反射回折光は、いずれも、投影スクリーン３に照射されており、レンズ６を介してカメラ４で撮影されている。なお、図中、７１及び７２は、光源２１と２２の切り替えのための切り替え手段である。
【００４３】
次に、本発明に係る情報記録媒体の製造方法について説明する。本発明に係る情報記録媒体は、基板１１として、ＪＩＳ  Ｂ０６０１−１９９４に基づく中心線表面粗さＲａが１．０以上のものを使用する外、公知の方法で製造することが可能である。すなわち、まず、原盤を製造する。原盤は、基材上にレジストを塗布し、このレジスト層を多数の領域に区分して、その領域ごとにレジスト層表面に回折格子の凹凸を設ける。この凹凸は、周知の二光束干渉法または電子線描画法によって可能である。二光束干渉法による場合には前記レジストとしてフォトレジストを使用し、電子線描画法による場合にはＥＢレジストを使用する必要がある。なお、この凹凸は、情報記録媒体の回折格子を構成するものであるから、予めその反射回折方向を設計する必要がある。そして、得られた原盤から、その
表面の凹凸を反転する工程を繰り返し、実用版を製造する。この実用版は、前記原盤の凹凸を正確に反映したものである。
【００４４】
他方、転写箔基材上に剥離層及び保護層をこの順に塗布する。転写箔基材としては、例えば、ポリエステルフィルムなどのプラスティックフィルムが使用できる。また、剥離層としては、シリコーン樹脂が使用できる。保護層としては、透明性の高い樹脂が好ましく、例えば、アクリル系樹脂が使用できる。
【００４５】
そして、前記実用版を熱圧して、その表面の凹凸を保護層表面に転写する。次に、この凹凸表面に光反射層を形成する。光反射層としては、アルミニウムや銅などの金属が使用できる。また、前記保護層と屈折率の異なる透明材料を使用することも可能である。このような透明材料としては、酸化チタン、硫化亜鉛などが例示できる。これら光反射層は、真空蒸着やスパッタリングなどの真空成膜法によって設けることが望ましい。なお、保護層表面に光反射層を設けた後、この光反射層表面に前記実用版を熱圧することで、凹凸を転写することも可能である。
【００４６】
次に、この光反射層表面に接着層を塗布して、転写箔を得ることができる。そして、この転写箔を前記基板に重ね、接着層、光反射層及び保護層を転写し、転写箔基材と剥離層とを剥離除去して、情報記録媒体を得ることができる。
【００４７】
また、本発明に係る秘匿情報検知装置は、情報記録媒体の回折格子要素に対応して面光源と読み取り手段とを配置し、固定して製造することができる。
【００４８】
＜試験例１＞
プラスティックフィルムを箔基材とし、この箔基材上に剥離層及び保護層を設け、この保護層上に別途製造した実用版を熱圧して、この保護層表面に凹凸を転写した。この凹凸は、縦方向の回折格子と横方向の回折格子を構成している。また、この回折格子は縦５ｍｍ、横５ｍｍの方形である。次に、この面にアルミニウムを真空蒸着して光反射層を設け、さらに接着層を塗布して転写箔を製造した。
【００４９】
こうして得られた転写箔を平滑な基板に重ね、接着層、光反射層及び保護層を転写した。そして、予め予定された方向から読み取り光を照射し、その反射回折光が予定された方向に出射することを確認した。この読み取り光の照射方向を基準照射方向、出射方向を基準回折方向として、次の試験を行った。
【００５０】
すなわち、ＪＩＳ  Ｂ０６０１−１９９４に基づく中心線表面粗さＲａが２．３４μｍの紙に前記転写箔を重ね、接着層、光反射層及び保護層を転写した。
【００５１】
こうして得られた紙上の回折格子に対して、面光源から読み取り光を照射して、その反射回折光の回折方向を調べた。すなわち、前記基準読み取り方向に面光源を配置すると共に、その一部をマスクで覆って面光源の面積を変え、前記基準回折方向で回折光が観察できる面光源の面積を測定した。そして、この面光源の面積から、照明光角度範囲を算出した。
【００５２】
＜試験例２＞
基板として、中心線表面粗さＲａが１．４８のものを使用したほかは実施例１と同様に試験を行った。
【００５３】
＜試験例３＞
回折格子として、縦２．５ｍｍ、横２．５ｍｍの方形のものを使用したほかは実施例１
と同様に試験を行った。
【００５４】
＜試験例４＞
基板として、中心線表面粗さＲａが１．４８のものを使用したほかは実施例３と同様に試験を行った。
【００５５】
＜考察＞
試験例１〜４の結果を表１に示す。
【００５６】
【表１】
2006327129.tif 000003
表１の結果から、回折格子の大きさが１ｍｍ×１ｍｍの場合について、回折光が観察できる照明光角度範囲を算出した。この結果、Ｒａ＝２．３４μｍの場合には１７．６度、Ｒａ＝１．４８μｍの場合には９．６度であることが分かった。
【００５７】
次に、この算出結果に基づき、回折の大きさが１ｍｍ×１ｍｍで、かつ、Ｒａ＝１．０μｍの場合について、回折光が観察できる照明光角度範囲を算出した。この結果、５．１度であることが確認できた。
【図面の簡単な説明】
【００５８】
【図１】本発明の実施形態に係る情報記録媒体の断面図。
【図２】本発明の実施形態に係る情報記録媒体の斜視図。
【図３】本発明の実施形態における秘匿情報読み取り方法を説明する説明図。
【図４】本発明の他の実施形態における秘匿情報読み取り方法を説明する説明図。
【図５】本発明の他の実施形態における秘匿情報読み取り方法を説明する説明図。
【図６】図６Ａは従来の秘匿情報を有する転写箔の断面図。図６Ｂはその斜視図。図６Ｃは転写して得られた情報記録媒体の断面図。
【符号の説明】
【００５９】
１‥情報記録媒体
１１‥基板
１２‥情報保持層
１２４‥光反射層
１２ａ，１２ｂ，１２ｃ，１２ｄ‥秘匿情報を保持する回折格子要素
１２ｘ，１２ｙ‥ダミーの回折格子要素
２，２１，２２‥光源
３‥投影スクリーン３
４‥カメラ
θ‥照明光角度範囲
【図１】
2006327129.tif 000004
【図２】
2006327129.tif 000005
【図３】
2006327129.tif 000006
【図４】
2006327129.tif 000007
【図５】
2006327129.tif 000008
【図６】
2006327129.tif 000009